(57)【要約】【課題】ストロボ発光時における露出オーバーの発生を抑制する。【解決手段】半押し操作時の測光データに基づき露出条件（絞り量等）を設定した後、全押し操作に応答して赤目軽減発光を行い、赤目軽減発光時の測光データに基づき絞り量の変更要否判定を行う。露出オーバーが懸念される場合には、絞り量を大きくしてから（例えば絞りを絞ってから）プリ発光を行う。プリ発光時の測光データから本発光の発光量等を設定し、本発光を伴って対象画像を撮影する。【選択図】図３
2014176057.tif 000002
【特許請求の範囲】
【請求項１】
入射光に応じた被写体の画像信号を出力する撮像素子、及び、前記撮像素子に対する入射光量を調整するための光学部材を有して撮影を行う撮像部と、
被写体輝度に応じた測光データを取得する測光部と、
前記被写体に光を照射する発光部と、
前記発光部に副発光に続いて主発光を行わせ、前記副発光の際に取得された測光データに基づき前記主発光の発光量を制御する制御部と、を備えた撮像装置であって、
前記制御部は、前記副発光の前に前記副発光と発光条件が異なる前段発光を前記発光部に行わせ、前記前段発光の際に取得された測光データに基づき、前記副発光の前に前記光学部材を制御する
ことを特徴とする撮像装置。
【請求項２】
前記制御部は、前記前段発光の際に取得された測光データによる被写体輝度が所定の基準レベルより高い場合、前記副発光の前に、前記入射光量が減少するように前記光学部材を制御する
ことを特徴とする請求項１に記載の撮像装置。
【請求項３】
前記制御部は、前記前段発光の際に取得された測光データによる被写体輝度が前記基準レベルを上回る量に応じ、前記光学部材の制御による前記入射光量の減少量を変更する
ことを特徴とする請求項２に記載の撮像装置。
【請求項４】
入射光に応じた被写体の画像信号を出力する撮像素子、及び、前記撮像素子に対する入射光量を調整するための光学部材を有して撮影を行う撮像部と、
被写体輝度に応じた測光データを取得する測光部と、
前記被写体に光を照射する発光部と、
前記発光部に副発光に続いて主発光を行わせ、前記副発光の際に取得された測光データに基づき前記主発光の発光量を制御する制御部と、を備えた撮像装置であって、
前記制御部は、前記発光部に前記副発光を１回だけ実行させ、前記副発光の際に取得された測光データに基づき、前記主発光の前に前記光学部材を制御する
ことを特徴とする撮像装置。
【請求項５】
前記制御部は、前記副発光の際に取得された測光データによる被写体輝度が所定の基準レベルより高い場合、前記主発光の前に、前記入射光量が減少するように前記光学部材を制御する
ことを特徴とする請求項４に記載の撮像装置。
【請求項６】
前記制御部は、前記前段発光の際に取得された測光データによる被写体輝度が前記基準レベルを上回る量に応じ、前記光学部材の制御による前記入射光量の減少量を変更する
ことを特徴とする請求項５に記載の撮像装置。
【請求項７】
前記光学部材は、減光フィルタから成り、
前記制御部は、前記主発光の前に、前記副発光の際に取得された測光データに基づき、前記被写体及び前記撮像素子間に前記減光フィルタを挿入するか否かを制御する、又は、前記被写体及び前記撮像素子間に挿入される前記減光フィルタの枚数を制御する
ことを特徴とする請求項４乃至６の何れかに記載の撮像装置。
【発明の詳細な説明】
【技術分野】
【０００１】
本発明は、撮像装置に関する。
【背景技術】
【０００２】
ストロボ発光を伴って画像撮影を行う際、被写体及び撮像装置間の距離が近い等の理由により、得られる撮影画像に露出オーバーが生じることがある。ストロボ発光時の露出オーバーを防ぐ方法として、ストロボ発光前に、オートフォーカスによるフォーカスレンズ位置情報から被写体及び撮像装置間の距離を算出し、算出距離が短い場合には絞り（入射光量調整用光学部材）を相応に絞る、といった方法がある。しかし、暗所であると、オートフォーカスを介した測距精度が低くなるため、絞りの適正状態を正しく見積もれないことある。また、一般的にオートフォーカスはシャッタボタンの半押し後に実施されるが、半押し後に被写体が動いて被写体及び撮像装置間の距離が変わると、半押し後に算出した距離がストロボ発光時の距離と異なってくるため、露出が不適切になることがある。
【０００３】
これを考慮し、下記特許文献１では、プリ発光時に得られた測光データに基づいて本発光量を制御する撮像装置において、プリ発光時の測光データが所定レベルよりも高い場合は絞りを絞って再度プリ発光を行うようにしている。この際、プリ発光時の測光データが所定レベルを超えなくなるまでプリ発光は繰り返し実行される。
【先行技術文献】
【特許文献】
【０００４】
【特許文献１】特開２００１−２１９６１号公報
【発明の概要】
【発明が解決しようとする課題】
【０００５】
但し、特許文献１の方法では、露出オーバー回避を狙った絞りの絞り込みのためだけに（入射光量調整用光学部材の適正化のためだけに）、２回以上のプリ発光が必要となり、効率的であるとは言えない。
【０００６】
そこで本発明は、発光を伴って撮影を行う際において入射光量調整用光学部材の状態適正化を効率的に行い得る撮像装置を提供することを目的とする。
【課題を解決するための手段】
【０００７】
本発明に係る撮像装置は、入射光に応じた被写体の画像信号を出力する撮像素子、及び、前記撮像素子に対する入射光量を調整するための光学部材を有して撮影を行う撮像部と、被写体輝度に応じた測光データを取得する測光部と、前記被写体に光を照射する発光部と、前記発光部に副発光に続いて主発光を行わせ、前記副発光の際に取得された測光データに基づき前記主発光の発光量を制御する制御部と、を備えた撮像装置であって、前記制御部は、前記副発光の前に前記副発光と発光条件が異なる前段発光を前記発光部に行わせ、前記前段発光の際に取得された測光データに基づき、前記副発光の前に前記光学部材を制御することを特徴とする。
【０００８】
上記構成では、主発光の発光制御用の副発光の前に、副発光とは発光条件の異なる前段発光が実行される。このため例えば、前段発光を赤目軽減に適した発光とすることができる。そうすると、赤目軽減のために本来的に必要な発光を用いて、副発光の前に、上記光学部材（絞り等）の制御を行うことができるため、無駄な発光が無く効率的に光学部材の状態適正化を図ることができ、結果、露出オーバー等を回避することが可能となる。また、前段発光を赤目軽減目的の発光にした場合、赤目軽減効果を適切に得るべく（瞳孔縮小期間を確保すべく）、前段発光及びプリ発光間の時間は相応に長くとられる。故に、光学部材の制御時間（絞りの駆動時間等）を十分に確保することができる。逆に考えれば、赤目軽減効果を得るために待機する必要のある時間を利用して光学部材の制御（絞りの駆動等）を行うため、効率的である。
【０００９】
本発明に係る他の撮像装置は、入射光に応じた被写体の画像信号を出力する撮像素子、及び、前記撮像素子に対する入射光量を調整するための光学部材を有して撮影を行う撮像部と、被写体輝度に応じた測光データを取得する測光部と、前記被写体に光を照射する発光部と、前記発光部に副発光に続いて主発光を行わせ、前記副発光の際に取得された測光データに基づき前記主発光の発光量を制御する制御部と、を備えた撮像装置であって、前記制御部は、前記発光部に前記副発光を１回だけ実行させ、前記副発光の際に取得された測光データに基づき、前記主発光の前に前記光学部材を制御することを特徴とする。
【００１０】
上記構成によれば、副発光が１回で済むため、効率的に光学部材の状態適正化を図ることができ、結果、露出オーバー等を回避することが可能となる。
【発明の効果】
【００１１】
本発明によれば、発光を伴って撮影を行う際において入射光量調整用光学部材の状態適正化を効率的に行い得る撮像装置を提供することが可能である。
【図面の簡単な説明】
【００１２】
【図１】本発明の実施形態に係るデジタルカメラの構成ブロック図である
【図２】図１のデジタルカメラにおける撮像部の内部構成図である。
【図３】本発明の第１実施例に係るデジタルカメラの動作フローチャートである。
【図４】本発明の第２実施例に係るデジタルカメラの動作フローチャートである。
【発明を実施するための形態】
【００１３】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００１４】
図１は、本発明の実施形態に係るデジタルカメラ（撮像装置）１の構成ブロック図である。デジタルカメラ（以下、カメラと略記することがある）１は、符号１１〜１８によって参照される各部位を備える。
【００１５】
図２は、撮像部１１の内部構成図である。撮像部１１は、撮像素子３３と、ドライバ３４と、光学系３５を備える。撮像素子３３は、ＣＣＤ（Charge Coupled Device）又はＣＭＯＳ（Complementary Metal Oxide Semiconductor）イメージセンサなどから成る固体撮像素子である。光学系３５は、焦点距離の調整用のズームレンズ３０及び焦点合わせ用のフォーカスレンズ３１を含む複数のレンズと、撮像素子３３への入射光量を調整及び制限するための光学部材３２と、を備える。ドライバ３４は、モータ等にて形成され、主制御部１３からの駆動制御信号に基づき、レンズ３０及び３１を移動させると共に光学部材３２の制御を介して撮像素子３３への入射光量を制御する。撮像素子３３に対し、光学系３５を介して撮影領域内からの光（被写体からの光）が入射する。撮像素子３３は、入射光に応じた被写体の画像信号を光電変換によって生成して出力する。つまり、撮像部１１は、撮像素子３３を用いて被写体を撮影することで撮影画像の画像信号を生成及び出力する。被写体は人物を含みうる。
【００１６】
光学部材３２は、図２に示す如く、被写体及び撮像素子３３間に挿入される機械式の絞り（虹彩絞り）であって良い。但し、光学部材３２は、被写体及び撮像素子３３間に挿入されうるＮＤフィルタ（減光フィルタ）であっても良い。被写体及び撮像素子３３間にＮＤフィルタが挿入されたとき、当該ＮＤフィルタの減光率に応じて撮像素子３３への入射光量が減少する。以下では、光学部材３２に関して絞り量という用語を導入する。絞り量が大きいほど撮像素子３３への入射光量が減少し、絞り量が小さいほど撮像素子３３への入射光量が増大する。光学部材３２が絞りである場合、光学系３５のＦ値が絞り量に相当する。
【００１７】
主制御部１３は、ドライバ３４を介して光学部材３２を駆動制御することで絞り量を複数段階に調整可能である。光学部材３２が絞りであるとき、当該絞りの開口量を狭めることで絞り量は増大する。光学部材３２を１枚以上のＮＤフィルタで形成しておくことができ、この場合、主制御部１３は、ＮＤフィルタごとに、ドライバ３４を介して被写体及び撮像素子３３間にＮＤフィルタを挿入するか否かを制御することができる。光学部材３２が１枚のＮＤフィルタから成る場合、被写体及び撮像素子３３間に挿入していなかったＮＤフィルタを被写体及び撮像素子３３間に挿入することで絞り量は増大する。光学部材３２が複数枚のＮＤフィルタから成る場合、被写体及び撮像素子３３間に挿入されるＮＤフィルタの枚数を増大させることで絞り量は増大する。以下では、被写体及び撮像素子３３間にＮＤフィルタを挿入することを、単にＮＤフィルタの挿入と表現する。
【００１８】
信号処理部１２は、撮像部１１の出力信号（即ち撮像素子３３の出力信号）に対して所定の信号処理（Ａ／Ｄ変換、ノイズ低減処理、デモザイキング処理等）を施すことで、撮影画像の画像データ（ＹＵＶデータや圧縮画像データ）を生成する。主制御部１３は、ＣＰＵ（Central Processing Unit）、ＲＯＭ（Read Only Memory）及びＲＡＭ（Random Access Memory）等にて形成され、操作部１６に入力された各種指示及び操作に従いつつ、カメラ１内の各部位の動作を統括的に制御する。表示部１４は、液晶ディスプレイパネル等から成る表示画面を含み、主制御部１３の制御の下、撮影画像等を表示する。記録媒体１５は、半導体メモリや磁気ディスク等にて形成された不揮発性の記録媒体であり、主制御部１３の制御の下、撮影画像の画像データ等を記録する。
【００１９】
操作部１６は、機械式押しボタンスイッチやダイヤル等の機械式操作部材、及び／又は、表示部１４に設けられうるタッチパネルにて形成され、撮影者からの各種指示及び操作を受け付ける。操作部１６にはシャッタボタンＳＢが設けられる。シャッタボタンＳＢは、表示部１４に設けられうるタッチパネル上のボタンであっても良いが、ここでは、シャッタボタンＳＢが機械式の押しボタンスイッチにて形成されているものとする。シャッタボタンＳＢは、２段階の押し込み操作を受け付けることができる。ボタンＳＢが全く押されていない状態を起点として、ボタンＳＢを所定量だけ押し込む操作を半押し操作と呼び、半押し操作の後、ボタンＳＢを更に所定量だけ押し込む操作を全押し操作と呼ぶ。操作部１６に対する全押し操作の入力は静止画像の撮影指示に相当する。全押し操作の入力に応答して撮像部１１により取得される、静止画像としての撮影画像を、特に対象画像と呼ぶ。
【００２０】
測光部１７は、任意のタイミングにおいて測光処理を行う。測光処理は、被写体の明るさを示す被写体輝度を測定して被写体輝度に応じた測光データを取得する処理を指す。測光部１７は、撮像素子３３の出力信号に基づき、又は、撮像素子３３以外の、被写体輝度を測定可能な測光センサ（不図示）を用いて、測光処理を行うことができる。
【００２１】
発光部１８は、被写体を照らすための発光を行う発光装置（即ち、ストロボ光を被写体に照射する発光装置）であり、キセノンランプ、ＬＥＤ（Light Emitting Diode）等の任意の光源から成る。発光部１８において、発光量（即ち発光部１８から出射される光の光量）は可変である。主制御部１３内に含まれる発光制御部（不図示）は、発光部１８の発光タイミング及び発光量を制御する。
【００２２】
＜＜第１実施例＞＞
発光部１８を利用した撮影動作に関わる第１実施例を説明する。第１実施例では、特に被写体に人物が含まれていることを想定しており、撮影時に赤目軽減のための発光（以下、赤目軽減発光という）を使用する。後述の本発光が行われるときの撮像素子３３の出力信号に基づく撮影画像が、対象画像に相当する（後述の第２実施例でも同様）。
【００２３】
図３は、第１実施例に係り、発光部１８の発光を伴った撮影を行うカメラ１の動作フローチャートである。まず、ボタンＳＢに半押し操作が入力されたことに応答して、ステップＳ１１の処理が実行される。ステップＳ１１において、測光部１７は測光処理を行い、主制御部１３は、半押し操作の入力時における測光データに基づき、所定のプログラム線図を用いて露出条件を設定する。また、撮像素子３３の出力信号に基づき被写体にピントが合うように（撮像素子３３上で被写体の像が結像するように）フォーカスレンズ３１の位置を調整するＡＦ制御も、ステップＳ１１にて実行される。
【００２４】
ステップＳ１１にて設定される露出条件は、絞り量、シャッタ速度及び撮影感度を含む。シャッタ速度は露光時間の逆数である。露光時間は、任意の撮影画像の画像信号を得るときの、撮像素子３３の露光時間を指す。撮影感度は、ＩＳＯ感度（International Organization for Standardization）によって規定された感度）そのものであっても良いし、ＩＳＯ感度に応じた感度であっても良い。撮影感度の調整によって、輝度信号を含む画像信号の増幅率が調整される。即ち、信号処理部１２は、撮像素子３３の出力信号から撮影画像の画像データを生成する過程において撮像素子３３の出力信号を増幅することができ、撮影感度が増大すれば、その増幅の大きさも増大して撮影画像の明るさが増大する。ステップＳ１１の処理の後、主制御部１３が露出条件（絞り量、シャッタ速度又は撮影感度）を変更しない限り、各撮影の露出条件はステップＳ１１の設定内容に従う。本実施例では、シャッタ速度が一定速度に固定されているものとする。
【００２５】
ステップＳ１１において、主制御部１３は、ＡＦ制御にて指定されるフォーカスレンズ３１の位置から被写体及びカメラ１間の距離を推定し、推定距離をも考慮して絞り量を設定してよい。但し、ステップＳ１１で設定される絞り量は、絞り量の可変範囲の最大値よりも低いものとする（即ち例えば、ステップＳ１１において絞りの開口量は最小ではない）
【００２６】
次に、ボタンＳＢに全押し操作が入力されたことに応答し、ステップＳ１２において、主制御部１３は発光部１８に赤目軽減発光（前段発光）を実行させ、これと並行して測光部１７は測光処理を行う。続くステップＳ１３において、主制御部１３は、赤目軽減発光時における測光データに基づき、絞り量の変更要否判定を行う。赤目軽減発光時の測光データから導出される被写体輝度を記号Ｂ１にて表す。
【００２７】
発光部１８による後述の本発光の発光量には可変範囲ＲFが定められており、また、対象画像の撮影感度ＲSにも可変範囲が定められている。主制御部１３は、発光量を最小にし且つ撮影感度を最小にしても（即ち、本発光の発光量を所定可変範囲ＲFの最小値に設定し且つ対象画像の撮影感度を所定可変範囲ＲSの最小値に設定したとしても）、対象画像が露出オーバーになるか否かを、被写体輝度Ｂ１に基づき予測する。
【００２８】
そして、主制御部１３は、対象画像が露出オーバーになると予測した場合に絞り量の変更が必要であると判断し、対象画像が露出オーバーにならないと予測した場合に絞り量の変更は不要であると判断する。対象画像が露出オーバーになるとは、対象画像の明るさが必要以上に明るくなることを意味する。対象画像が露出オーバーである状態と対象画像が露出オーバーでない状態との境界を、カメラ１において任意に予め定めておくことができる。単純には例えば、輝度信号のダイナミックレンジの最大値を有する画素が対象画像に存在する（いわゆる白飛びが発生する）と予測されるとき、対象画像は露出オーバーになると予測されて良い。
【００２９】
具体的な処理として例えば、主制御部１３は、被写体輝度Ｂ１を所定の基準レベルＴＨ１と比較する。そして例えば、主制御部１３は、被写体輝度Ｂ１が基準レベルＴＨ１よりも高い場合に、発光量を最小にし且つ撮影感度を最小にしても対象画像が露出オーバーになると予測して絞り量の変更が必要と判断し、一方、被写体輝度Ｂ１が基準レベルＴＨ１以下である場合に、そうでないと予測して絞り量の変更が不要と判断する。絞り量の変更が必要と判断された場合、ステップＳ１４の処理を実行してからステップＳ１５へ移行し、絞り量の変更が不要と判断された場合、ステップＳ１４を介さずにステップＳ１５へ直接移行する。露出オーバーの発生／非発生の予測を行うために、基準レベルＴＨ１を、発光量の可変範囲ＲFの最小値及び撮影感度の可変範囲ＲSの最小値に基づき予め定めておけばよい。但し、被写体輝度Ｂ１は赤目軽減発光の発光量に依存するため、赤目軽減発光の発光量をも考慮して基準レベルＴＨ１を定めておくと良い。
【００３０】
ステップＳ１４において、主制御部１３は、撮像素子３３への入射光量が減少するように絞り量を変更する、即ち、絞り量が増大するように光学部材３２を制御する。絞り量を増大させる方法は上述した通りであり、絞りの開口量の縮小又はＮＤフィルタの挿入により絞り量を増大させる。この際、確実に対象画像の露出オーバーが回避されるよう、被写体輝度Ｂ１が基準レベルＴＨ１を上回る量に応じ、光学部材３２の制御による絞り量の増大量（換言すれば、撮像素子３３への入射光量の減少量）を変更すると良い。即ち、被写体輝度Ｂ１が基準レベルＴＨ１を上回る場合、被写体輝度Ｂ１及び基準レベルＴＨ１間の差が増大するにつれて、ステップＳ１４において絞り量をより増大させると良い。
【００３１】
ステップＳ１５において、主制御部１３は発光部１８にプリ発光（副発光）を実行させ、これと並行して測光部１７は測光処理を行う。続くステップＳ１６において、主制御部１３は、プリ発光時における測光データに基づき、本発光の発光量及び対象画像の撮影時における撮影感度を設定する。プリ発光時の測光データから導出される被写体輝度を記号Ｂ２にて表す。主制御部１３は、被写体輝度Ｂ２に基づき、適正な明るさを持った対象画像が撮影されるように、本発光の発光量及び対象画像の撮影時における撮影感度を設定し且つ制御する。
【００３２】
その後のステップＳ１７及びＳ１８において、主制御部１３は、設定した発光量で発光部１８に本発光（主発光）を行わせ、本発光が行われているときに対象画像の撮影を行う（本発光が行われているときの撮像素子３３の出力信号から対象画像を取得する）。この時の撮影感度はステップＳ１６の設定内容に従う。取得された対象画像の画像データは記録媒体１５に記録される。
【００３３】
プリ発光は、本発光の発光量等の設定適正化を目的としているのに対し、赤目軽減発光は、被写体に含まれる人物の瞳孔を狭めることを目的としている。これらの目的の相違に対応して、主制御部１３は、赤目軽減発光の発光条件をプリ発光の発光条件と異ならせている。
【００３４】
発光条件は、発光量（発光強度）、閃光出射回数又は発光色を含みうる。例えば、被写体の瞳孔をしっかりと狭めさせるべく、主制御部１３は、赤目軽減発光の発光量をプリ発光の発光量よりも高める。或いは例えば、主制御部１３は、赤目軽減発光を複数回の閃光にて形成する一方、プリ発光の１回の閃光にて形成する。即ち例えば、ステップＳ１２では赤目軽減発光として複数回の閃光を発光部１８から出射させる一方、ステップＳ１５ではプリ発光として１回の閃光を発光部１８から出射させても良い。
【００３５】
第１実施例では、赤目軽減のために本来的に必要な発光を用いて、プリ発光の前に、光学部材３２の制御を行うことができるため、無駄な発光が無く効率的に光学部材３２の状態適正化を図ることができる。結果、無駄な発光が無く効率的に露出オーバー等を回避することが可能となる。また、赤目軽減効果を適切に得るべく（瞳孔縮小期間を確保すべく）、赤目軽減発光及びプリ発光間の時間は相応に長くとる必要がある。故に、光学部材３２の制御時間（絞りの駆動時間等）を十分に確保することができる。逆に考えれば、赤目軽減効果を得るために待機する必要のある時間を利用して光学部材３２の駆動を行うため、効率的である（光学部材３２の駆動のためだけに待機を行う必要がない）。
【００３６】
＜＜第２実施例＞＞
発光部１８を利用した撮影動作に関わる第２実施例を説明する。第１実施例で記述した事項を、矛盾無き限り、第２実施例に適用することができる。
【００３７】
図４は、第２実施例に係り、発光部１８の発光を伴った撮影を行うカメラ１の動作フローチャートである。まず、ボタンＳＢに半押し操作が入力されたことに応答して、ステップＳ２１の処理が実行される。ステップＳ２１の処理は図３のステップＳ１１の処理と同じである。従って、ステップＳ２１において、半押し操作の入力時における測光データに基づき露出条件（絞り量、シャッタ速度及び撮影感度）が設定されると共に、ＡＦ制御も実行される。ステップＳ２１の処理の後、主制御部１３が露出条件（絞り量、シャッタ速度又は撮影感度）を変更しない限り、各撮影の露出条件はステップＳ２１の設定内容に従う。本実施例では、シャッタ速度が一定速度に固定されているものとする。ステップＳ２１において、主制御部１３は、ＡＦ制御にて指定されるフォーカスレンズ３１の位置から被写体及びカメラ１間の距離を推定し、推定距離をも考慮して絞り量を設定して良い。但し、ステップＳ２１で設定される絞り量は、絞り量の可変範囲の最大値よりも低いものとする。
【００３８】
次に、ボタンＳＢに全押し操作が入力されたことに応答し、ステップＳ２２において、主制御部１３は発光部１８にプリ発光（副発光）を実行させ、これと並行して測光部１７は測光処理を行う。続くステップＳ２３において、主制御部１３は、ステップＳ２２のプリ発光時における測光データに基づき、絞り量の変更要否判定を行う。ステップＳ２２のプリ発光時の測光データから導出される被写体輝度を記号ＢＰにて表す。被写体輝度ＢＰに基づく絞り量の変更要否判定は、第１実施例で述べた被写体輝度Ｂ１に基づく絞り量の変更要否判定と同様である。
【００３９】
つまり、主制御部１３は、発光量を最小にし且つ撮影感度を最小にしても（即ち、本発光の発光量を所定可変範囲ＲFの最小値に設定し且つ対象画像の撮影感度を所定可変範囲ＲSの最小値に設定したとしても）、対象画像が露出オーバーになるか否かを、被写体輝度ＢＰに基づき予測する。そして、主制御部１３は、対象画像が露出オーバーになると予測した場合に絞り量の変更が必要であると判断し、対象画像が露出オーバーにならないと予測した場合に絞り量の変更は不要であると判断する。
【００４０】
具体的な処理として例えば、主制御部１３は、被写体輝度ＢＰを所定の基準レベルＴＨ２と比較する。そして例えば、主制御部１３は、被写体輝度ＢＰが基準レベルＴＨ２よりも高い場合に、発光量を最小にし且つ撮影感度を最小にしても対象画像が露出オーバーになると予測して絞り量の変更が必要と判断し、一方、被写体輝度ＢＰが基準レベルＴＨ２以下である場合に、そうでないと予測して絞り量の変更が不要と判断する。絞り量の変更が必要と判断された場合、ステップＳ２４の処理を実行してからステップＳ２５へ移行し、絞り量の変更が不要と判断された場合、ステップＳ２４を介さずにステップＳ２５へ直接移行する。露出オーバーの発生／非発生の予測を行うために、基準レベルＴＨ２を、発光量の可変範囲ＲFの最小値及び撮影感度の可変範囲ＲSの最小値に基づき予め定めておけばよい。但し、被写体輝度ＢＰはプリ発光の発光量に依存するため、ステップＳ２２のプリ発光の発光量をも考慮して基準レベルＴＨ２を定めておくと良い。
【００４１】
ステップＳ２４において、主制御部１３は、撮像素子３３への入射光量が減少するように絞り量を変更する、即ち、絞り量が増大するように光学部材３２を制御する。絞り量を増大させる方法は上述した通りであり、絞りの開口量の縮小又はＮＤフィルタの挿入により絞り量を増大させる。この際、確実に対象画像の露出オーバーが回避されるよう、被写体輝度ＢＰが基準レベルＴＨ２を上回る量に応じ、光学部材３２の制御による絞り量の増大量（換言すれば、撮像素子３３への入射光量の減少量）を変更すると良い。即ち、被写体輝度ＢＰが基準レベルＴＨ２を上回る場合、被写体輝度ＢＰ及び基準レベルＴＨ２間の差が増大するにつれて、ステップＳ２４において絞り量をより増大させると良い。
【００４２】
ステップＳ２５において、主制御部１３は、被写体輝度ＢＰに基づき本発光の発光量及び対象画像の撮影時における撮影感度を設定する。つまり、主制御部１３は、被写体輝度ＢＰに基づき、適正な明るさを持った対象画像が撮影されるように、本発光の発光量及び対象画像の撮影時における撮影感度を設定し且つ制御する。尚、ステップＳ２５の処理はステップＳ２４の前に実行されても良い。
【００４３】
その後のステップＳ２６及びＳ２７において、主制御部１３は、設定した発光量で発光部１８に本発光（主発光）を行わせ、本発光が行われているときに対象画像の撮影を行う（本発光が行われているときの撮像素子３３の出力信号から対象画像を取得する）。この時の撮影感度はステップＳ２５の設定内容に従う。取得された対象画像の画像データは記録媒体１５に記録される。
【００４４】
第２実施例では、本発光の前にプリ発光が１回だけ行われる。即ち、プリ発光が１回で済むため、効率的に光学部材３２の状態適正化を図ることができる。結果、無駄な発光が無く効率的に露出オーバー等を回避することが可能となる。
【００４５】
第２実施例は、特に光学部材３２がＮＤフィルタにて形成されている場合に好適である。光学部材３２が１枚のＮＤフィルタにて形成されている場合、ステップＳ２４では、被写体及び撮像素子３３間に挿入していなかったＮＤフィルタを被写体及び撮像素子３３間に挿入すると良い。光学部材３２が複数枚のＮＤフィルタにて形成されている場合、ステップＳ２４では、被写体及び撮像素子３３間に挿入されるＮＤフィルタの枚数を増大させると良い。
【００４６】
光学部材３２が絞りである場合、絞りが機械的に動作するが故に、絞りの開口量を指定開口量にしようとしても、絞りの駆動の度に実際の開口量は指定開口量と若干相違することがあり、それらの差は絞りの駆動の度に変化し得る。このため、絞りを駆動した場合には、本発光の前に再度プリ発光を行った方が好ましい。しかし、光学部材３２がＮＤフィルタにて形成される場合には、光学部材３２を駆動しても（ＮＤフィルタを挿抜しても）毎回正確に、撮像素子３３への入射光量の制限量が定まる。故に、光学部材３２を駆動しても再度のプリ発光の必要性は少ない。
【００４７】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。
【００４８】
上述の第１及び第２実施例では、シャッタ速度が一定速度に固定とされているが、副発光時に得られた測光データに基づき、対象画像の撮影時におけるシャッタ速度が可変設定されても良い。
【００４９】
デジタルカメラ１を内蔵した任意の電子機器（携帯電話機、携帯情報端末、パーソナルコンピュータ、電子書籍リーダ、電子辞書、ゲーム機器又はナビゲーション装置等）を形成しても良い。尚、デジタルカメラ１の電子機器の一種である。
【００５０】
カメラ１又は主制御部１３である対象装置を、集積回路等のハードウェア、或いは、ハードウェアとソフトウェアの組み合わせによって構成することができる。対象装置にて実現される機能の全部又は一部である任意の特定の機能をプログラムとして記述して、該プログラムを対象装置に搭載可能なフラッシュメモリに保存しておき、該プログラムをプログラム実行装置（例えば、対象装置に搭載可能なマイクロコンピュータ）上で実行することによって、その特定の機能を実現するようにしてもよい。上記プログラムは任意の記録媒体に記憶及び固定されうる。上記プログラムを記憶及び固定する記録媒は対象装置と異なる機器（サーバ機器等）に搭載又は接続されても良い。
【符号の説明】
【００５１】
１  デジタルカメラ
１１  撮像部
１３  主制御部
１７  測光部
１８  発光部
３２  光学部材（入射光量調整用光学部材）
３３  撮像素子
【図１】
2014176057.tif 000003
【図２】
2014176057.tif 000004
【図３】
2014176057.tif 000005
【図４】
2014176057.tif 000006